(57)【要約】【課題】一般にユーザは同一カテゴリーに属する情報に対して同一のルールを選択することが多いため、情報の提示側が各情報間において差別化を設けたい場合でも、従来技術ではその差別化をうまく表示に反映させることが難しかった。【解決手段】以上の課題を解決するため、本発明は、一の配列ルールを利用して情報を表示している際に情報の切り替えを受付けた場合、他の配列ルールを利用して他の情報を表示することが可能な情報表示装置及び情報表示方法を提供するものである。【選択図】図１
2009205441.tif 000002
【特許請求の範囲】
【請求項１】
順位付可能な属性値と関連付けられた複数の情報要素からなる情報を複数保持するための情報保持部と、
情報要素を前記属性値に従って順位付するためのルールを複数保持するルール保持部と、
前記情報要素をルール保持部に保持されている一のルールを利用した順位にて配列する配列部と、
前記情報を配列部での配列結果に従って表示する表示部と、
表示部で表示する情報の切り替えを受け付けるための表示切替受付部と、
表示切替受付部での切替受付に応じて配列部が利用するルールを他のルールとなるように制御する制御部と、
を有する情報表示装置。
【請求項２】
情報保持部は、
さらに情報とグループＩＤを関連付けて保持するグルーピング保持手段を有し、
表示切替受付部は、
表示部で表示する情報の切り替えをグループＩＤ単位で受け付けるグループ単位切替受付手段を有する
請求項１に記載の情報表示装置。
【請求項３】
制御部は、  
切替受付に応じて配列部が利用するルールを切替受付前のルールと順位の昇降を逆とするルールとなるように制御する逆順制御手段を有する
請求項１または２に記載の情報表示装置。
【請求項４】
順位付可能な属性値と関連付けられた複数の情報要素からなる情報を複数格納するための情報格納ステップと、
情報要素を前記属性値に従って順位付するためのルールを複数格納するルール格納ステップと、
前記情報要素をルール格納ステップで格納された一のルールを利用した順位にて配列する配列ステップと、
前記情報を配列ステップでの配列結果に従って表示する表示ステップと、
表示ステップで表示する情報の切り替えを受け付けるための表示切替受付ステップと、
表示切替受付ステップでの切替受付に応じて配列ステップで利用するルールを他のルールとなるように制御する制御ステップと、
を有する情報表示方法。
【発明の詳細な説明】
【技術分野】
【０００１】
本発明は、順位付可能な属性値と関連付けられた複数の情報要素からなる情報を表示する情報表示装置、及び、そのような処理を実行するプログラムを記録した記録媒体に関するものである。
【背景技術】
【０００２】
従来から、順位付可能な属性値と関連付けられた複数の情報要素からなる情報の表示に際して、一定の表示ルールに基づいて情報を表示する装置や方法が提案されている。例えば、複数の本を表示する際に、出版日が最新の本から表示するルール、値段の安い本から表示するルール、読者の評価が高い本から表示するルール、といったようにユーザが選択した一のルールに基づいて表示する表示装置や表示方法などが広く知られている。また、特許文献１においては、表示情報の挿入・削除に伴う表示位置の変更が簡単で、更に特定の項目の値でソートした結果を表示することにより、操作性を向上させ、業務上有効な表示機能の実現が図れる情報表示装置が開示されている。
【特許文献１】特開平１０−２５４９６３
【発明の開示】
【発明が解決しようとする課題】
【０００３】
しかし、一般にユーザは同一カテゴリーに属する情報に対して同一のルールを選択することが多いため、情報の提示側が各情報間において差別化を設けたい場合でも、従来技術ではその差別化をうまく表示に反映させることが難しかった。例えば、最初にＡ社の複数の本に関する情報、次にＢ社の複数の本に関する情報、最後にＣ社の複数の本に関する情報、といったように情報を切り替えながら表示する場合でも、ユーザとしては各社の複数の本の情報を表示する際に同一のルール（例えば、読者の評価が高い本から表示するルール）を選択すると考えられる。これは情報の受け手側の情報取得性を第一に考えた場合は望まれる表示だが、Ａ社の本を優先的に薦めたい情報提示側にとっては必ずしも望まれる表示ではない。また、ここでＡ社の本のみを情報提示側が表示する手段は当然に考えられるが、これは情報の量を限定することになるため、複数の情報を提示するという情報提示側の本来の目的が果たされなくなってしまう。
【課題を解決するための手段】
【０００４】
以上の課題を解決するため、本発明は、一の配列ルールを利用して情報を表示している際に情報の切り替えを受付けた場合、他の配列ルールを利用して他の情報を表示することが可能な情報表示装置及び情報表示方法を提供する。
【発明の効果】
【０００５】
本発明の情報表示装置又は情報表示方法においては、一の配列ルールを利用して情報を表示している際に情報の切り替えを受付けた場合、他の配列ルールを利用して他の情報を表示することが可能であるため、情報の提示側の提示意図に沿った情報の表示がより可能になる。
【発明を実施するための最良の形態】
【０００６】
以下に、本発明の実施例を説明する。実施例と請求項の相互の関係は、以下のとおりである。実施例１は主に請求項１、請求項４に関し、実施例２は主に請求項２に関し、実施例３は主に請求項３に関する。なお、本発明はこれら実施例に何ら限定されるものではなく、その要旨を逸脱しない範囲内において、様々な態様で実施しうる。
【実施例１】
【０００７】
<概要>  
本実施例の情報表示装置は、一の配列ルールを利用して情報を表示している際に情報の切り替えを受付けた場合、他の配列ルールを利用して他の情報を表示することが可能な機能を有するものである。例えば図１に示すように、本実施例の情報表示装置は、Ａ社の製品であるカーナビＸに対する複数の製品レビュー（情報要素）を満足度（属性値）の高いものから表示させている際に情報の切り替えを受付けた場合、Ｃ社の製品であるカーナビＺに対する複数の製品レビューを満足度の低いものから表示させることが可能である。これにより、Ａ社の製品がＣ社の製品よりも良質のものであるといった印象を情報の受け手側に与えることが可能になる。つまり、本実施例の情報表示装置により、情報提示側の意図を反映した表示がより可能になる。
【０００８】
<構成>
図２は、本実施例の表示装置の機能ブロックの一例を示す図である。本件発明の構成要素である各部は、ハードウェア、ソフトウェア、ハードウェアとソフトウェアの両者、のいずれかによって構成される。例えば、これらを実現する一例として、コンピュータを利用する場合には、ＣＰＵ、メインメモリ、バス、インターフェイス、周辺機器などから構成されるハードウェアと、これらのハードウェア上にて実現可能なソフトウェアを挙げることができる。具体的には、メインメモリ上に展開されたプログラムを順次実行することで、メインメモリ上のデータや、インターフェイスを介して入力されるデータの加工、蓄積、出力などにより各部の機能が実現される。
【０００９】
同図において、本実施例の「情報表示装置」０２００は、「情報保持部」０２０１と、「ルール保持部」０２０２と、「配列部」０２０３と、「表示部」０２０４と、「表示切替受付部」０２０５と、「制御部」０２０６とからなる。
なお、本発明は、装置として実現できるのみでなく、方法としても実現可能である。（本明細書の全体を通して同様である。）
【００１０】
「情報保持部」は、順位付可能な属性値と関連付けられた複数の情報要素からなる情報を複数保持するように構成されている。ここで「順位付可能な属性値」としては、例えば、商品等の価格や品数、商品等に対する満足度や評価度、購入意欲度や販売意欲度、売れ行き度や人気度、各商品間の類似性や親和性、販売開始日や出版日、レビューの文字数やレビュー掲載数、収入や年齢、人口数や物数、等のような数値情報や、性別ＩＤや住所ＩＤ、鉄道路線の駅ＩＤや町に存在する店ＩＤ、建物ＩＤのような識別ＩＤ情報、などが挙げられる。当該属性値と関連付けられた複数の情報要素からなる情報としては、例えば図３に示すような情報が考えられる。なお、図でも表わされるように、複数の情報要素はソートされた状態で保持される必要は必ずしもなく、順位付可能な属性値を示す数値等と情報要素が対応付けられて保持される構成であれば足りる。また、複数の情報要素からなる情報は、予め情報表示装置に保持させる構成とすることも可能であるが、ネットワーク等を介して取得する構成とすることも可能である。また、当該情報は適宜編集可能な構成とすることも可能である。また、複数の情報を保持する方法としては、情報ごとに情報ＩＤを割り当て、他の情報から識別可能なように保持する方法が考えられる。
【００１１】
「ルール保持部」は、情報要素を前記属性値に従って順位付するためのルールを複数保持するように構成されている。ここで、ルールとしては、例えば、情報要素を属性値の大きい順又は小さい順に配列するルール、属性値が閾値以上又は閾値以下のものを使って大きい順又は小さい順に配列するルール、属性値が所定の範囲にあるものを使って大きい順又は小さい順に配列するルール、属性値が異なるものだけを使って大きい順又は小さい順に配列するルール、属性値が偶数値又は奇数値のものを使って大きい順又は小さい順に配列するルール、ランダムに配列するルール、同範囲（同値も含む）の属性値を持つ情報要素が多い順又は少ない順に配列するルール、識別ＩＤの（数字、符号、ひらがな、アルファベット等）の準規則順又は逆規則順に配列するルール、などが挙げられる。ルールを実行するためのルール実行ファイルは、予め情報表示装置に保持させる構成とすることも可能であるが、ネットワーク等を介して取得する構成とすることも可能である。また、ルール実行ファイルは適宜追加又は削除可能な構成とすることも可能である。
また、ルールの具体的な保持方法としては、図４に示すように、ルールごとにルール実行ファイルを関連付けて保持する構成が考えられる。また、全てのルールを含む一のルール実行ファイルを保持し、実行ファイル内部での各ルールを示す識別ＩＤを設ける構成とすることも可能である。
【００１２】
「配列部」は、前記情報要素をルール保持部に保持されている一のルールを利用した順位にて配列するように構成されている。つまり、情報要素が規則性なく保持されている場合であっても、一のルールに基づいた順位にて配列するためのソート処理を行うことが可能な構成となっている。具体的には、選択したルールと関連付けられたルール実行ファイルを配列処理の際に適宜読出し、ＣＰＵにて配列処理を実行する方法が考えられる。
【００１３】
「表示部」は、前記情報を配列部での配列結果に従って表示するように構成されている。ここで、表示する方法としては、情報表示装置に属するディスプレイ等に表示出力する構成も可能であるが、情報表示装置と接続された外部の電子機器に対して表示出力する構成、さらにネットワーク等を介して接続された電子機器に対して表示出力する構成とすることも可能である。ここで、情報の受け手側の性別や年齢、収入や購入予算、住所などの識別情報を取得している場合は、識別情報に応じて表示のデザインを変更する構成とすることも可能である。例えば、情報の受け手側が男性であるとの識別情報を取得している場合は、男性用の商品を強調して表示する、といったものである。
【００１４】
「表示切替受付部」は、表示部で表示する情報の切り替えを受け付けるように構成されている。ここで、表示する情報の切り替えとは、一の情報から他の情報へと表示内容を変更することを意味する。例えば、Ａ社の製品Ｘに対する複数の評価レビューからなる情報１からＢ社の製品Ｙに対する複数の評価レビューからなる情報２へと切り替えるといったものである。ただし、一の情報が複数のページにわたる場合はページ変更を行うことになるが、当該ページ変更は情報の切り替えには該当しないものである。
また、切り替えを受付ける構成としては、ある一の情報が表示されている画面上に他の情報と関連付けられたリンクボタンを表示し、ユーザが当該リンクボタンを選択決定した場合に他の情報へと表示内容が切替わる構成が考えられる。ここで、他の各情報と関連付けられた各リンクボタンを一画面に複数表示することが可能な構成とすることも考えられる。  
なお、表示切替を受付けるためのキーボードやマウス等の入力機器は情報表示装置に属する構成とすることも可能であるが、表示切替の受付信号を他の電子機器からネットワーク等を介して受付ける構成とすることも可能である。また、表示切替の受け付けと同時に情報の受け手側の識別情報を取得する構成とすることも可能である。
【００１５】
「制御部」は、表示切替受付部での切替受付に応じて配列部が利用するルールを他のルールとなるように制御するように構成されている。ここで、他のルールとなるように制御する方法としては、配列部が利用しているルールのルールＩＤをメインメモリ上に一時的に保持しておき、表示切替の受付けがあった場合、当該ルールＩＤを参照して、他のルールから利用するルールを選択する方法が考えられる。この場合、他のルールから利用するルールを選択する方法としては、切替受付前に利用していたルールと相対する関係にあるルールを選択する方法や類似する関係にあるルールを選択する方法等が考えられる。ここで、当該相対関係や類似関係にあるルール同士をあらかじめテーブル情報として保持する構成が考えられる。
例えば、図５に示すように、切替受付前においては、半蔵門線の一部区間の各駅情報を「識別ＩＤの準規則順に配列するルール」（図の例では、数字の小さい順）で表示していた場合、切替受付後において、銀座線の一部区間の各駅情報を「識別ＩＤの逆規則順に配列するルール」（図の例では、数字の大きい順）を利用して表示する、といったものである。
また、情報の受け手側の識別情報を取得した場合は、当該情報を利用して制御する構成も可能である。例えば、「値段の安いものから配列するルール」を利用している際に、表示切替を受け付け、かつ、購入予算の情報も取得した場合は、「値段が購入予算以上のものを使って値段の高いものから配列するルール」を採用する、といったものである。
なお、ルールの切り替えはあくまで表示切替受付部での切替受付に応じてなされるものであり、情報とルールを関連付けておく必要は必ずしもない。
【００１６】
<具体的な構成>
次に、本実施例の情報表示装置のそれぞれのハードウェア構成部の働きについて説明する。図６は、本実施例の情報表示装置のハードウェア構成の一例を示す概略図である。この図を利用して、それぞれのハードウェア構成部の働きについて説明する。この図にあるように、情報表示装置は、配列部と表示部と表示切替受付部と制御部である「ＣＰＵ」０６０１と「メインメモリ」０６０２を備える。また、情報表示装置は、情報保持部とルール保持部である「記憶装置」０６０３を備えている。また、入力機器として「キーボード」０６０４と「マウス」０６０５を備えている。また、表示出力機器として「ディスプレイ」０６０６を備える。また、外部の電子機器からも情報等や切替受付信号を受信可能であり、またネットワークを介した外部の電子機器に対しても表示情報を送信可能な「ネットワークインターフェイス」０６０７を備えている。これらはシステムバスなどによって相互に接続され、情報の送受信や処理を行う。
【００１７】
記憶装置は、ＣＰＵによって実行される各種プログラムなどを長期的に記憶している。またメインメモリは、プログラムがＣＰＵによって実行される際の作業領域であるワーク領域を提供する。また、メインメモリや記憶装置にはそれぞれ複数のメモリアドレスが割り当てられており、ＣＰＵで実行されるプログラムは、そのメモリアドレスを特定しアクセスすることで相互にデータのやりとりを行い、処理を行うことが可能になっている。また、以下の説明では、プログラムは予めメインメモリのワーク領域に展開して常駐させておく構成としているが、必要な場合に記憶装置から呼び出す構成とすることも可能である。
【００１８】
表示切替受付プログラムは、一の情報が情報表示装置のディスプレイ又はネットワークを介した外部の電子機器のディスプレイ等に表示出力されている場合、他の情報と関連付けられたリンクボタンを画面上の一部に選択決定可能なように表示出力するための処理を行う。ユーザにより当該リンクボタンが選択決定された場合は、表示切替受付プログラムは、選択されたリンクボタンと関連付けられた情報を記憶装置又はネットワーク等を介した外部の情報提供装置から取得し、メインメモリの所定のアドレスに格納する。制御プログラムは、切替受付前のルールを示すルールＩＤをメインメモリの所定のアドレスに格納しておき、当該ルール以外のルールを選択するための処理をＣＰＵにて実行する。ここで、切替前と切替後に利用するルールを予めテーブル情報として保持しておき、当該テーブル情報に基づいてルールを選択する構成も可能である。次に、配列プログラムは、ルールＩＤと関連付けられたルール実行プログラムを読み出して情報要素の配列を行うための処理をＣＰＵにて実行し、配列された情報要素からなる情報をメインメモリの所定のアドレスに格納する。表示プログラムは、当該情報を情報表示装置のディスプレイ又はネットワーク等を介した外部の電子機器のディスプレイに表示出力するための処理をＣＰＵにて実行する。
【００１９】
<処理の流れ>
図７に示すのは、本実施例の情報表示装置における処理の流れの一例を説明するためのフローチャート図である。同図の処理の流れは以下のステップからなる。最初に、ステップＳ０７０１では、一のルールを利用して情報が表示されているか否か判断する。ここでの判断が、表示されているとの判断である場合は、ステップＳ０７０２に進む。ここでの判断が、表示されていないとの判断である場合は、待機する。ステップＳ０７０２では、表示する情報の切り替えを受付けたか否かを判断する。ここでの判断が、受付けたとの判断である場合は、ステップＳ０７０３に進む。ここでの判断が、受付けていないとの判断である場合は、ステップＳ０７０１に戻る。この処理は、主に表示切替受付部によって実行される。ステップＳ０７０３では、配列するために利用するルールを他のルールとなるように制御する。この処理は、主に制御部によって実行される。ステップＳ０７０４では、他のルールを利用した順位にて配列する。この処理は、主に配列部によって実行される。ステップＳ０７０５では、配列結果に従って表示する。この処理は、主に表示部によって実行される。
【００２０】
以上の処理は、計算機に実行させるためのプログラムで実行することができ、また、このプログラムを計算機によって読取り可能な記録媒体に記録することができる。（本明細書の全体を通して同様である。）
【００２１】
<効果>
本発明の情報表示装置又は情報表示方法においては、一の配列ルールを利用して情報を表示している際に情報の切り替えを受付けた場合、他の配列ルールを利用して他の情報を表示することが可能であるため、情報の提示側の提示意図に沿った情報の表示がより可能になる。
【実施例２】
【００２２】
<概要>
本実施例の情報表示装置は、情報とグループＩＤを関連付けて保持する機能を有し、表示する情報の切り替えをグループＩＤ単位で受付けることが可能な機能を有するものである。例えば、Ａ社の複数の製品（グループ１）を売れ行き度が高いものから表示させている際に、Ｂ社とＣ社の複数の製品（グループ２）を表示させるためのグループ単位切替を受付けた場合、Ｂ社とＣ社の製品に関しては売れ行き度が低いものから表示させるといったことが可能になる。
【００２３】
<構成>
図８は、本実施例の情報表示装置の機能ブロックの一例を示す図である。同図において、本実施例の「情報表示装置」０８００は、「情報保持部」０８０１と、「ルール保持部」０８０２と、「配列部」０８０３と、「表示部」０８０４と、「表示切替受付部」０８０５と、「制御部」０８０６とからなり、情報保持部は「グルーピング保持手段」０８０７を有し、表示切替受付部が「グループ単位切替受付手段」０８０８を有する。構成は基本的に実施例１に記載の装置の構成と同じであるため、相違点となるグルーピング保持手段とグループ単位切替受付手段について以下詳述する。
【００２４】
「グルーピング保持手段」は、さらに情報とグループＩＤを関連付けて保持するように構成されている。情報とグループＩＤを関連付けて保持する方法としては、例えば図９のように、各情報とグループＩＤを関連付けたテーブル情報を保持する方法が挙げられる。この図の例では、Ａ社の複数の製品の売れ行き度の情報１はグループ１と関連付けられており、Ｂ社とＣ社の複数の製品の売れ行き度の情報２と情報３はグループ２と関連付けられている。また、情報とグループＩＤを関連付ける方法としては、情報を記憶装置に格納する際にグループＩＤの付与を受付ける構成とすることが考えられる。また、当該グループＩＤは適宜修正可能な構成とすることも可能である。
【００２５】
「グループ単位切替受付手段」は、表示部で表示する情報の切替をグループＩＤ単位で受け付けるように構成されている。ここで、「切り替えをグループＩＤ単位で受け付ける」とは、一のグループに属する一又は複数の情報の表示から他のグループに属する一又は複数の情報の表示へと表示内容を切り替えることをいう。例えば、グループ１に属するＡ社の製品に関する表示から、グループ２に属するＢ社とＣ社の製品に関する表示へと切り替えるといったものである。また、グループ単位切替受付手段により異なるグループに属する一又は複数の情報へと表示を切り替える場合、他のルールを利用して他のグループに属する一又は複数の情報を表示させることになる。また、表示部が表示する情報の切り替えをグループＩＤ単位で受け付ける方法としては、一又は複数の情報を含むグループと関連付けられたリンクボタンを表示画面の一部に選択決定可能なように表示する方法が考えられる。なお、一のグループに複数の情報が含まれている場合、各情報を構成する情報要素を別々に配列表示することも可能であるが、各情報を構成する情報要素を統合して配列表示することも可能である。例えば、Ｂ社とＣ社の製品を各々売れ行き度が低い製品から表示させることも可能であるが、Ｂ社とＣ社の製品を統合して売れ行き度の低い製品から表示させる、といったことも可能である。
【００２６】
<具体的な構成>
図１０は、本実施例の情報表示装置のハードウェア構成の一例を示す概略図である。その構成は、基本的に図６を用いて説明した実施例１の装置のハードウェア構成と共通する。ただし、本実施例の情報表示装置は、情報がグループＩＤと関連付けて記憶装置に格納されており、表示切替受付プログラムはグループ単位切替受付プログラムを内包している。
グループ単位切替受付プログラムは、一のグループＩＤに関連付けられた一又は複数の情報が情報表示装置のディスプレイ又はネットワークを介した外部の電子機器のディスプレイ等に表示出力されている場合、他のグループＩＤと関連付けられたリンクボタンを画面上の一部に選択決定可能なように表示出力するための処理を行う。ユーザにより当該リンクボタンが選択決定された場合は、グループ単位切替受付プログラムは、選択されたグループＩＤに関連付けられた一又は複数の情報を記憶装置又はネットワーク等を介した外部の情報提供装置から取得し、メインメモリの所定のアドレスに格納する。制御プログラムは、切替受付前のルールを示すルールＩＤをメインメモリの所定のアドレスに格納しておき、当該ルール以外のルールを選択するための処理をＣＰＵにて実行する。ここで、切替前と切替後に利用するルールを予めテーブル情報として保持しておき、当該テーブル情報に基づいてルールを選択する構成も可能である。次に、配列プログラムは、ルールＩＤと関連付けられたルール実行プログラムを読み出して情報要素の配列を行うための処理をＣＰＵにて実行し、配列された情報をメインメモリの所定のアドレスに格納する。表示プログラムは、当該情報をディスプレイ又はネットワークを介した外部の電子機器のディスプレイ等に表示出力するための処理をＣＰＵにて実行する。
【００２７】
<処理の流れ>
図１１に示すのは、本実施例の情報表示装置における処理の流れの一例を説明するためのフローチャート図である。同図の処理の流れは以下のステップからなる。最初に、ステップＳ１１０１では、一のルールを利用して一又は複数の情報が表示されているか否か判断する。ここでの判断が、表示されているとの判断である場合は、ステップＳ１１０２に進む。ここでの判断が、表示されていないとの判断である場合は、待機する。ステップＳ１１０２では、表示する情報の切替をグループＩＤ単位で受け付けたか否かを判断する。ここでの判断が、受付けたとの判断である場合は、ステップＳ１１０３に進む。ここでの判断が、受付けていないとの判断である場合は、ステップＳ１１０１に戻る。この処理は、主に表示切替受付部によって実行される。ステップＳ１１０３では、一又は複数の情報の情報要素を配列するために利用するルールを他のルールとなるように制御する。この処理は、主に制御部によって実行される。ステップＳ１１０４では、他のルールを利用した順位にて配列する。この処理は、主に配列部によって実行される。ステップＳ１１０５では、配列結果に従って表示する。この処理は、主に表示部によって実行される。
【００２８】
<効果>
本発明の情報表示装置又は情報表示方法においては、一の配列ルールを利用して一又は複数の情報を表示している際に表示する情報の切り替えをグループＩＤ単位で受付けた場合、他の配列ルールを利用して他のグループに属する一又は複数の情報を表示することが可能であるため、情報の提示側の提示意図に沿った情報の表示がより可能になる。
【実施例３】
【００２９】
<概要>
本実施例の情報表示装置は、切替受付に応じて利用するルールを切替前のルールと順位の昇降を逆とするルールとなるように制御する機能を有するものである。例えば、Ａ社の複数の商品を値段の安いものから表示させている際に、競合他社であるＢ社の複数の商品を表示するための表示切替を受付けると、Ｂ社の複数の商品に関しては値段の高いものから表示させるといったことが可能になる。
【００３０】
<構成>
図１２は、本実施例の情報表示装置の機能ブロックの一例を示す図である。同図において、本実施例の「情報表示装置」１２００は、「情報保持部」１２０１と、「ルール保持部」１２０２と、「配列部」１２０３と、「表示部」１２０４と、「表示切替受付部」１２０５と、「制御部」１２０６とからなり、制御部は「逆順制御手段」１２０７を有する。構成は基本的に実施例１に記載の装置の構成と同じであるため、相違点となる逆順制御手段について以下詳述する。
【００３１】
「逆順制御手段」は、切替受付に応じて配列部が利用するルールを切替受付前のルールと順位の昇降を逆とするルールとなるように制御するように構成されている。ここで順位の昇降を逆とするルールの例としては、情報要素を属性値の大きい順に配列するルールと小さい順に配列するルールが挙げられる。また、同範囲（同値を含む）の属性値を持つ情報要素が多い順に配列するルールと少ない順に配列するルールとの間でも順位の昇降を逆とする関係が成り立つ。具体的な制御の方法としては、例えば、一のルールを示すルールＩＤ、及び当該ルールと順位の昇降を逆とする関係にあるルールのルールＩＤを関連付けたテーブル情報を記憶装置等に保持させておき、表示切替を受付けた際に当該テーブル情報に基づいて配列部が利用するルールを決定する構成が考えられる。
例えば、Ｘ社の一の商品と「関連性が高い商品から配列するルール」を利用してＡ社の商品を表示している際に、表示切替を受け付けた場合、当該一の商品と「関連性が低い商品から配列するルール」を利用してＢ社の商品を表示する、といったものである。これにより、Ａ社の関連商品をＸ社の一の商品と同時に購入させる効果が生じる。
【００３２】
<具体的な構成>
図１３は、本実施例の情報表示装置のハードウェア構成の一例を示す概略図である。その構成は、基本的に図６を用いて説明した実施例１の装置のハードウェア構成と共通する。ただし、本実施例の情報表示装置は、制御プログラムに逆順制御プログラムが内包される。
表示切替受付プログラムは、一の情報が情報表示装置のディスプレイ又はネットワークを介した外部の電子機器のディスプレイ等に表示出力されている場合、他の情報と関連付けられたリンクボタンを画面上の一部に選択決定可能なように表示出力するための処理を行う。ユーザにより当該リンクボタンが選択決定された場合は、表示切替受付プログラムは、選択されたリンクボタンと関連付けられた情報を記憶装置又はネットワーク等を介した外部の情報提供機器から取得し、メインメモリの所定のアドレスに格納する。逆順制御プログラムは、リンクボタンの選択決定前に利用していたルールと順位の昇降を逆とするルールをリンクボタンの選択決定後に利用するための処理を行う。具体的には、順位の昇降を逆とする関係にあるルール同士を関連付けたテーブル情報を記憶装置から読み出してメインメモリの所定のアドレスに格納し、選択決定後に利用するルールを選択するための処理をＣＰＵにて実行する。次に、配列プログラムは、ルールＩＤと関連付けられたルール実行プログラムを読み出して、情報要素の配列を行うための処理をＣＰＵにて実行する。表示プログラムは、配列された情報要素からなる情報をディスプレイ又はネットワークを介した外部の電子機器のディスプレイ等に表示出力するための処理をＣＰＵにて実行する。
【００３３】
<処理の流れ>
図１４に示すのは、本実施例の情報表示装置における処理の流れの一例を説明するためのフローチャート図である。同図の処理の流れは以下のステップからなる。最初に、ステップＳ１４０１では、一のルールを利用して情報が表示されているか否か判断する。ここでの判断が、表示されているとの判断である場合は、ステップＳ１４０２に進む。ここでの判断が、表示されていないとの判断である場合は、待機する。ステップＳ１４０２では、表示する情報の切り替えを受付けたか否かを判断する。ここでの判断が、受付けたとの判断である場合は、ステップＳ１４０３に進む。ここでの判断が、受付けていないとの判断である場合は、ステップＳ１４０１に戻る。この処理は、主に表示切替受付部によって実行される。ステップＳ１４０３では、切替受付に応じて配列部が利用するルールを切替受付前のルールと順位の昇降を逆とするルールとなるように制御する。この処理は、主に制御部によって実行される。ステップＳ１４０４では、順位の昇降を逆とするルールを利用した順位にて配列する。この処理は、主に配列部によって実行される。ステップＳ１４０５では、配列結果に従って表示する。この処理は、主に表示部によって実行される。
【００３４】
<効果>
本発明の情報表示装置又は情報表示方法においては、一の配列ルールを利用して情報を表示している際に情報の切り替えを受付けた場合、切替前のルールと順位の昇降を逆とするルールを利用して他の情報を表示することが可能であるため、情報の明確な差別化を図ることができ、情報の提示側の提示意図に沿った情報の表示がより可能になる。
【図面の簡単な説明】
【００３５】
【図１】実施例１に係る情報表示装置の概略を示す図
【図２】実施例１に係る情報表示装置の機能ブロックの一例を示す図
【図３】実施例１に係る情報表示装置が保持する情報の一例を示す図
【図４】実施例１に係る情報表示装置が保持するルールの一例を示す図
【図５】実施例１に係る情報表示装置による表示切替の一例を示す図
【図６】実施例１に係る情報表示装置のハードウェア構成の一例を示す概略図
【図７】実施例１に係る情報表示装置における処理の流れの一例を示す図
【図８】実施例２に係る情報表示装置の機能ブロックの一例を示す図
【図９】実施例２に係る情報表示装置が保持するテーブル情報の一例を示す図
【図１０】実施例２に係る情報表示装置のハードウェア構成の一例を示す概略図
【図１１】実施例２に係る情報表示装置における処理の流れの一例を示す図
【図１２】実施例３に係る情報表示装置の機能ブロックの一例を示す図
【図１３】実施例３に係る情報表示装置のハードウェア構成の一例を示す概略図
【図１４】実施例３に係る情報表示装置における処理の流れの一例を示す図
【符号の説明】
【００３６】
０２００、０８００、１２００    情報表示装置
０２０１、０８０１、１２０１    情報保持部
０２０２、０８０２、１２０２    ルール保持部
０２０３、０８０３、１２０３    配列部
０２０４、０８０４、１２０４    表示部
０２０５、０８０５、１２０５    表示切替受付部
０２０６、０８０６、１２０６    制御部
０８０７    グルーピング保持手段
０８０８    グループ単位切替受付手段
１２０７    逆順制御手段
【図１】
2009205441.tif 000003
【図２】
2009205441.tif 000004
【図３】
2009205441.tif 000005
【図４】
2009205441.tif 000006
【図５】
2009205441.tif 000007
【図６】
2009205441.tif 000008
【図７】
2009205441.tif 000009
【図８】
2009205441.tif 000010
【図９】
2009205441.tif 000011
【図１０】
2009205441.tif 000012
【図１１】
2009205441.tif 000013
【図１２】
2009205441.tif 000014
【図１３】
2009205441.tif 000015
【図１４】
2009205441.tif 000016